(57)【要約】【課題】本発明は、非接触通信の接続を容易にするためのプログラムを提供することを目的とする。【解決手段】本発明によれば、非接触通信の機能を有する携帯型の情報処理装置を制御するコンピュータを、前記携帯型の情報処理装置に搭載されたＯＳから該携帯型の情報処理装置の機種を示す機種情報を取得する機種情報取得手段、携帯型の情報処理装置の機種毎に、該携帯型の情報処理装置の機種を示す機種情報と、非接触通信のアンテナ位置を案内するアンテナ位置案内画像とを対応付けて管理するサーバ装置から、前記機種情報取得手段で取得した前記機種情報に対応する前記アンテナ位置案内画像を取得するアンテナ位置案内画像取得手段、前記アンテナ位置案内画像取得手段で取得した前記アンテナ位置案内画像を前記携帯型の情報処理装置の表示画面に表示させるアンテナ位置案内画像表示手段、として機能させるためのプログラムが提供される。【選択図】図３
2017118246.tif 000002
【特許請求の範囲】
【請求項１】
非接触通信の機能を有する携帯型の情報処理装置を制御するコンピュータを、
前記携帯型の情報処理装置に搭載されたＯＳから該携帯型の情報処理装置の機種を示す機種情報を取得する機種情報取得手段、
携帯型の情報処理装置の機種毎に、該携帯型の情報処理装置の機種を示す機種情報と、非接触通信のアンテナ位置を案内するアンテナ位置案内画像とを対応付けて管理するサーバ装置から、前記機種情報取得手段で取得した前記機種情報に対応する前記アンテナ位置案内画像を取得するアンテナ位置案内画像取得手段、
前記アンテナ位置案内画像取得手段で取得した前記アンテナ位置案内画像を前記携帯型の情報処理装置の表示画面に表示させるアンテナ位置案内画像表示手段、
として機能させるためのプログラム。
【請求項２】
前記コンピュータを、さらに、
前記機種情報または前記アンテナ位置案内画像を取得できなかったときに、ユーザによる前記アンテナ位置案内画像の登録を受け付けるアンテナ位置案内画像登録手段、
として機能させる、
請求項１に記載のプログラム。
【請求項３】
非接触通信の機能を有する携帯型の情報処理装置の表示画面に画像を表示すする方法であって、
前記携帯型の情報処理装置を制御するコンピュータに、
前記携帯型の情報処理装置に搭載されたＯＳから該携帯型の情報処理装置の機種を示す機種情報を取得するステップと、
携帯型の情報処理装置の機種毎に、該携帯型の情報処理装置の機種を示す機種情報と、非接触通信のアンテナ位置を案内するアンテナ位置案内画像とを対応付けて管理するサーバ装置から、前記ＯＳから取得した前記機種情報に対応する前記アンテナ位置案内画像を取得するステップと、
前記サーバ装置から取得した前記アンテナ位置案内画像を前記表示画面に表示させるステップと、
を実行させる方法。
【請求項４】
前記コンピュータに、さらに、
前記機種情報または前記アンテナ位置案内画像を取得できなかったときに、ユーザによる前記アンテナ位置案内画像の登録を受け付けるステップを実行させる、請求項３に記載の方法。
【請求項５】
非接触通信の機能を有する携帯型の情報処理装置であって、
前記携帯型の情報処理装置に搭載されたＯＳから該携帯型の情報処理装置の機種を示す機種情報を取得する機種情報取得手段と、
携帯型の情報処理装置の機種毎に、該携帯型の情報処理装置の機種を示す機種情報と、非接触通信のアンテナ位置を案内するアンテナ位置案内画像とを対応付けて管理するサーバ装置から、前記機種情報取得手段で取得した前記機種情報に対応する前記アンテナ位置案内画像を取得するアンテナ位置案内画像取得手段と、
前記アンテナ位置案内画像取得手段で取得した前記アンテナ位置案内画像を前記携帯型の情報処理装置の表示画面に表示させるアンテナ位置案内画像表示手段と、
を含む、
情報処理装置。
【請求項６】
さらに、前記機種情報または前記アンテナ位置案内画像を取得できなかったときに、ユーザによる前記アンテナ位置案内画像の登録を受け付けるアンテナ位置案内画像登録手段を含む、
請求項５に記載の情報処理装置。
【請求項７】
１以上の非接触通信の機能を有する携帯型の情報処理装置と、該携帯型の情報処理装置とがネットワークを介して接続されるサーバ装置とを含むネットワークシステムであって、
前記サーバ装置は、
携帯型の情報処理装置の機種毎に、該携帯型の情報処理装置の機種を示す機種情報と、非接触通信のアンテナ位置を案内するアンテナ位置案内画像とを対応付けて管理するアンテナ位置案内画像管理部を含み、
前記携帯型の情報処理装置は、
前記携帯型の情報処理装置に搭載されたＯＳから該携帯型の情報処理装置の機種を示す機種情報を取得する機種情報取得手段と、
前記サーバ装置の前記アンテナ位置案内画像管理部から、前記機種情報取得手段で取得した前記機種情報に対応する前記アンテナ位置案内画像を取得するアンテナ位置案内画像取得手段と、
前記アンテナ位置案内画像取得手段で取得した前記アンテナ位置案内画像を前記携帯型の情報処理装置の表示画面に表示させるアンテナ位置案内画像表示手段と、
を含む、
ネットワークシステム。
【請求項８】
前記携帯型の情報処理装置は、
さらに、前記機種情報または前記アンテナ位置案内画像を取得できなかったときに、ユーザによる前記アンテナ位置案内画像の登録を受け付けるアンテナ位置案内画像登録手段を含む、
請求項７に記載のネットワークシステム。
【発明の詳細な説明】
【技術分野】
【０００１】
本発明は、プログラム、方法、情報処理装置およびネットワークシステムに関する。
【背景技術】
【０００２】
近年、スマートフォンやタブレットＰＣなどに代表されるスマートデバイスの多くは非接触通信であるＮＦＣ（Near Field Communication）の機能を搭載している。また、近年、好きなところに自由に貼付することができるシールタイプのプログマブルＮＦＣタグ（非接触ＩＣタグ）が広く流通しており、これに伴って、スマートデバイスとＮＦＣタグを連携させて各種操作を自動化することが広く行われるようになってきている。
【０００３】
スマートデバイスとＮＦＣタグの連携による操作の自動化としては、Wi-Fi（登録商標、以下同様。）やBluetooth（登録商標、以下同様。）といった無線ネットワークの接続設定に必要な情報をＮＦＣタグに書き込んでおき、そのＮＦＣタグにスマートデバイスをかざすだけで無線ネットワークに接続する、といったことが一例として挙げられる（例えば、特許文献１）。
【０００４】
一方、ＮＦＣの規格では、通信を確立する際に双方のＮＦＣアンテナの距離を数センチ以下に接近させる必要があるところ、一般に、ユーザはスマートデバイスのどのあたりにＮＦＣアンテナが配置されているのかを知らないため、ＮＦＣアンテナの位置を探り当てるのに手間取り、非接触通信の接続に時間がかかってしまうという問題があった。
【発明の概要】
【発明が解決しようとする課題】
【０００５】
本発明は、上記従来技術における課題に鑑みてなされたものであり、非接触通信の接続を容易にするためのプログラムを提供することを目的とする。
【課題を解決するための手段】
【０００６】
本発明者は、非接触通信の接続を容易にするためのプログラムにつき鋭意検討した結果、以下の構成に想到し、本発明に至ったのである。
【０００７】
すなわち、本発明によれば、非接触通信の機能を有する携帯型の情報処理装置を制御するコンピュータを、前記携帯型の情報処理装置に搭載されたＯＳから該携帯型の情報処理装置の機種を示す機種情報を取得する機種情報取得手段、携帯型の情報処理装置の機種毎に、該携帯型の情報処理装置の機種を示す機種情報と、非接触通信のアンテナ位置を案内するアンテナ位置案内画像とを対応付けて管理するサーバ装置から、前記機種情報取得手段で取得した前記機種情報に対応する前記アンテナ位置案内画像を取得するアンテナ位置案内画像取得手段、前記アンテナ位置案内画像取得手段で取得した前記アンテナ位置案内画像を前記携帯型の情報処理装置の表示画面に表示させるアンテナ位置案内画像表示手段、として機能させるためのプログラムが提供される。
【発明の効果】
【０００８】
上述したように、本発明によれば、非接触通信の接続を容易にするためのプログラムが提供される。
【図面の簡単な説明】
【０００９】
【図１】本実施形態のネットワークシステムを示す図。
【図２】本実施形態のネットワークシステムのハードウェア構成図。
【図３】本実施形態のネットワークシステムの機能ブロック図。
【図４】本実施形態の情報処理装置が実行する処理のフローチャート。
【図５】印刷アプリのサービス画面を示す図。
【図６】アンテナ位置案内画像取得処理のシーケンス図。
【図７】アンテナ位置案内画像管理テーブルを示す図。
【図８】アンテナ位置案内画像を説明するための図。
【図９】アンテナ位置案内画像登録処理のフローチャート。
【図１０】アンテナ位置案内画像登録画面を示す図。
【発明を実施するための形態】
【００１０】
以下、本発明を、実施形態をもって説明するが、本発明は後述する実施形態に限定されるものではない。なお、以下に参照する各図においては、共通する要素について同じ符号を用い、適宜、その説明を省略するものとする。
【００１１】
図１は、本発明の実施形態であるネットワークシステム１０００を示す。図１に示すように、本実施形態のネットワークシステム１０００は、１以上の情報処理装置１０と、サーバ装置７０とを含み、各情報処理装置１０と、サーバ装置７０とがインターネットなどとして参照されるネットワーク９０を介して相互通信可能に接続されている。
【００１２】
図１の左下に本実施形態の情報処理装置１０の外観を示す。本実施形態の情報処理装置１０は、非接触通信（近接場型の無線通信）であるＮＦＣ（Near Field Communication）の機能を搭載した携帯型の情報処理装置であり、その筐体１２の前面にディスプレイ３０が設けられている。
【００１３】
なお、図１の左下には、本実施形態の情報処理装置１０としてタブレットＰＣを示しているが、情報処理装置１０は、タブレットＰＣに限定されるものではなく、スマートフォンなどのその他のスマートデバイスであってもよい。つまり、本実施形態の情報処理装置１０は、非接触通信の機能を搭載し、且つ、その筐体の前面に表示画面を有するものであればよい。なお、以下においては、本実施形態の情報処理装置１０をタブレットＰＣ１０という。
【００１４】
続いて、本実施形態のネットワークシステム１０００を構成するタブレットＰＣ１０とサーバ装置７０のハードウェア構成を図２に基づいて説明する。
【００１５】
図２（ａ）に示すように、タブレットＰＣ１０を制御するコンピュータ２０は、少なくとも、装置全体の動作を制御するプロセッサ２２と、ブートプログラムやファームウェアプログラムなどを保存するＲＯＭ２４と、プログラムを実行するための実行空間を提供するＲＡＭ２５と、ディスプレイ３０などが接続される入出力インターフェース２６と、Wi-FiやBluetoothといった近距離無線ネットワークや３ＧやＬＴＥといったモバイルネットワークを含むネットワーク９０に接続するための無線ネットワーク・インターフェース２７と、オペレーティングシステム（ＯＳ）や後述するアプリケーション・プログラムなどを保存するための補助記憶装置２８とを備えている。
【００１６】
さらに、タブレットＰＣ１０には、入出力インターフェース１６を介してコンピュータ２０と通信を行うＮＦＣリーダ／ライタ４０が搭載されており、ＮＦＣリーダ／ライタ４０にはＮＦＣアンテナ４２が接続されている。ＮＦＣアンテナ４２は、他のＮＦＣモジュールとの間で高周波信号の送受信を行う非接触通信のアンテナ（以下、ＮＦＣアンテナという）であり、タブレットＰＣ１０の筐体１２内の所定の位置に搭載されている。
【００１７】
一方、サーバ装置７０は、図２（ｂ）に示すように、装置全体の動作を制御するプロセッサ８２と、ブートプログラムやファームウェアプログラムなどを保存するＲＯＭ８４と、プログラムを実行するための実行空間を提供するＲＡＭ８５と、入出力インターフェース８６と、ネットワーク９０に接続するためのネットワーク・インターフェース８７と、オペレーティングシステム（ＯＳ）やデータベース・アプリケーションなどの各種プログラム、後述するアンテナ位置案内画像をはじめとする各種データなどを保存するためのハードディスク（ＨＤＤ）８８とを備えている。
【００１８】
以上、本実施形態のネットワークシステム１０００を構成する各装置の概要を説明してきたが、続いて、ネットワークシステム１０００を構成する各装置の機能構成を図３に示す機能ブロック図に基づいて説明する。
【００１９】
ここで、本実施形態のタブレットＰＣ１０には、印刷装置に対して無線ネットワークを介して印刷ジョブを出力するためのアプリケーション・プログラム（以下、印刷アプリという）がインストールされている。ここで、タブレットＰＣ１０に搭載されるこの印刷アプリは、ＮＦＣ規格の非接触ＩＣタグ（以下、ＮＦＣタグという）から印刷ジョブを送信する印刷装置の宛先情報を取得する機能を有している。例えば、図１に示すように、印刷装置５０の筐体に当該装置の宛先情報を格納したＮＦＣタグ６０が貼付されている場合、ユーザがタブレットＰＣ１０をＮＦＣタグ６０にかざすと、自動的に印刷ジョブが印刷装置５０に送信されるようになっている。
【００２０】
そして、本実施形態においては、タブレットＰＣ１０に印刷アプリ１００をインストールすることによって、図３に示す印刷ジョブ生成部１１０およびアンテナ位置案内部１２０が実現される。
【００２１】
印刷ジョブ生成部１１０は、ユーザから印刷対象となるファイルの指定を受け付け、ユーザが指定したファイルに係る印刷ジョブを生成して、ユーザが指定する宛先に送信する機能手段である。
【００２２】
一方、アンテナ位置案内部１２０は、ＮＦＣタグとの非接触通信の接続を容易にするための画像をユーザに提供するために、メインプログラムである印刷ジョブ生成部１１０から適宜呼び出されるモジュールであって、機種情報取得部１２２、アンテナ位置案内画像取得部１２４、アンテナ位置案内画像表示部１２５、およびアンテナ位置案内画像登録部１２８を含んで構成される。
【００２３】
機種情報取得部１２２は、タブレットＰＣ１０に搭載されるオペレーション・システム１３０（以下、ＯＳ１３０という）から自装置の機種を示す機種情報を取得するための機能手段である。
【００２４】
アンテナ位置案内画像取得部１２４は、自装置の機種情報に対応するＮＦＣアンテナの位置をユーザに案内するための画像（以下、アンテナ位置案内画像という）をサーバ装置７０から取得するための機能手段である。アンテナ位置案内画像取得部１２４は、サーバ装置７０から取得したアンテナ位置案内画像をアンテナ位置案内部１２０が管理する所定の記憶領域１２７に保存する。なお、以下においては、ＮＦＣアンテナの位置を単に「アンテナ位置」という場合がある。
【００２５】
アンテナ位置案内画像表示部１２５は、アンテナ位置案内画像取得部１２４で取得したアンテナ位置案内画像をディスプレイ３０の表示画面に表示させるための機能手段である。
【００２６】
アンテナ位置案内画像登録部１２８は、自装置の機種情報または当該機種情報に対応するアンテナ位置情報を取得できなかったときに、ユーザによるアンテナ位置案内画像の登録を受け付けるための機能手段である。
【００２７】
一方、本実施形態のサーバ装置７０は、アンテナ位置案内画像管理部７２と、アンテナ位置案内画像提供部７４とを含んで構成されている。
【００２８】
アンテナ位置案内画像管理部７２は、ＮＦＣ機能を搭載する携帯型の情報処理装置（タブレットＰＣやスマートフォンなど）の機種情報とアンテナ位置案内画像を対応付けて管理する機能手段である。
【００２９】
アンテナ位置案内画像提供部７４は、ＮＦＣ機能を搭載する携帯型の情報処理装置（タブレットＰＣやスマートフォンなど）からの要求に応答して、アンテナ位置案内画像管理部７２が管理するアンテナ位置案内画像を提供するための機能手段である。
【００３０】
以上、本実施形態のタブレットＰＣ１０およびサーバ装置７０の機能構成について説明してきたが、続いて、タブレットＰＣ１０が実行する処理の内容を図４に示すフローチャートに基づいて説明する。
【００３１】
ユーザが印刷アプリを起動すると、印刷ジョブ生成部１１０がステップ１０１〜ステップ１０４を実行する。まず、ステップ１０１で、図５（ａ）に示す印刷アプリのメニュー画面をディスプレイ３０に表示する。これを受けて、例えば、ユーザがメニュー画面に表示されたリストの中から「写真をプリント」を選択すると、図５（ｂ）に示す写真の選択画面を表示する。これを受けて、ユーザが印刷したい写真のサムネイルを選択すると、ステップ１０２で、印刷ジョブ受付画面を表示する。
【００３２】
図５（ｃ）は、ステップ１０２で表示される印刷ジョブ受付画面を例示的に示す。図５（ｃ）に示すように、印刷ジョブ受付画面には、ユーザが選択した写真のプレビューとともに、印刷ジョブの条件を設定するための「印刷設定」ボタンが表示される。さらに、印刷ジョブ受付画面には、ユーザから印刷ジョブの実行指示を受け付けるための２つのボタン「設定した機器で印刷」および「ＮＦＣタグを使用して印刷」が表示される。
【００３３】
印刷ジョブ生成部１１０は、印刷ジョブ受付画面を表示した後、ステップ１０３で、ユーザからのジョブの実行指示を待機する。印刷ジョブ受付画面が表示されたことを受けて、ユーザが上述した２つのボタンのいずれかをタッチした場合（ステップ１０３、Ｙｅｓ）、続くステップ１０４で「ＮＦＣタグを使用して印刷」が選択されたか否かを判断する。その結果、「ＮＦＣタグを使用して印刷」が選択されていない場合（すなわち、「設定した機器で印刷」が選択された場合）は（ステップ１０４、Ｎｏ）、処理はステップ１１２に進む。ステップ１１２では、ユーザが事前に印刷先として設定した印刷装置の宛先情報であるＩＰアドレスを印刷アプリが管理する所定の記憶領域から読み出し、当該ＩＰアドレスに宛てて印刷ジョブを送信して、処理を終了する。
【００３４】
一方、「ＮＦＣタグを使用して印刷」が選択された場合は（ステップ１０４、Ｙｅｓ）、印刷ジョブ生成部１１０によってアンテナ位置案内部１２０が呼び出され、ステップ１０５〜１０８を実行する。
【００３５】
まず、ステップ１０５では、アンテナ位置案内画像表示部１２５が記憶領域１２７に自装置のアンテナ位置案内画像が保存されているか否かを判断する。その結果、記憶領域１２７に自装置のアンテナ位置案内画像が保存されていないと判断した場合は（ステップ１０５、Ｎｏ）、処理はステップ１０６に進み、アンテナ位置案内画像取得部１２４がアンテナ位置案内画像取得処理を実行する。
【００３６】
ここで、アンテナ位置案内画像取得部１２４が実行するアンテナ位置案内画像取得処理の内容を図６に示すシーケンス図に基づいて説明する。
【００３７】
アンテナ位置案内画像取得部１２４は、まず、ＯＳ１３０に機種情報の取得要求を発行して自装置の機種情報として機種名を取得する（Ｓ１）。続いて、アンテナ位置案内画像取得部１２４は、Ｓ１で取得した機種名（機種情報）を含むアンテナ位置案内画像取得要求を生成し、これをネットワーク９０を介してサーバ装置７０に送信する（Ｓ２）。これを受けて、サーバ装置７０のアンテナ位置案内画像提供部７４は、アンテナ位置案内画像管理部７２が管理するアンテナ位置案内画像管理テーブル２００を検索する（Ｓ３）。
【００３８】
図７は、アンテナ位置案内画像管理部７２が管理するアンテナ位置案内画像管理テーブル２００を示す。図７に示すように、アンテナ位置案内画像管理テーブル２００は、ＮＦＣアンテナを搭載する携帯型の情報処理装置の機種情報として機種名を格納するためのフィールド２０１と、当該情報処理装置のアンテナ位置を案内するためのアンテナ位置案内画像（の保存パス）を格納するためのフィールド２０２を有しており、機種名とアンテナ位置案内画像を対応付けて管理している。
【００３９】
ここで、「アンテナ位置案内画像」とは、ユーザにＮＦＣアンテナの位置を認識させるための画像全般を意味し、文字、記号、図形、色、任意の画像およびこれらの組み合わせのいずれかを表示画面に表示する画像であればよい。
【００４０】
ここで、図８（ａ）〜（ｃ）は、例示的に、各機種に搭載されるＮＦＣアンテナ４２の位置と、その機種に対応付けられるアンテナ位置案内画像を並べて示す。ここで、図８（ａ）〜（ｃ）に例示するアンテナ位置案内画像は、ＮＦＣアンテナ４２の位置に対応する表示画面上の位置（すなわち、ＮＦＣアンテナ４２の直上の位置）にＮＦＣアンテナ４２の位置を観念させる図形を表示している。
【００４１】
具体的には、「機種Ａ」に対応付けられるアンテナ位置案内画像（aaa.jpg）は、図８（ａ）に示すように、表示画面におけるＮＦＣアンテナ４２ａの直上の位置に矩形の色領域を表示する画像として構成されており、「機種Ｂ」に対応付けられるアンテナ位置案内画像（bbb.jpg）は、図８（ｂ）に示すように、表示画面におけるＮＦＣアンテナ４２ｂの直上の位置にキャラクター画像を表示する画像として構成されており、「機種Ｃ」に対応付けられるアンテナ位置案内画像（ccc.jpg）は、図８（ｃ）に示すように、表示画面におけるＮＦＣアンテナ４２ｃの直上の位置に星の図形を表示する画像として構成されている。
【００４２】
図８に例示したように、アンテナ位置案内画像として、ＮＦＣアンテナ４２の直上の位置に図形やキャラクターなどを表示する画像を採用すれば、ユーザにＮＦＣアンテナ４２の位置を直観的に認識させることが可能になる。
【００４３】
再び、図６に戻って説明を続ける。
【００４４】
アンテナ位置案内画像提供部７４は、タブレットＰＣ１０から受信したアンテナ位置案内画像取得要求に含まれる機種名をキーとしてアンテナ位置案内画像管理テーブル２００を検索し、合致するキーに紐付いたアンテナ位置案内画像を取得して（Ｓ３）、これをタブレットＰＣ１０に送信する（Ｓ４）。
【００４５】
これを受けて、アンテナ位置案内画像取得部１２４は、サーバ装置７０から取得したアンテナ位置案内画像を記憶領域１２７に保存して（Ｓ５）、アンテナ位置案内画像取得処理を終了する。
【００４６】
一方、何らかの理由でＯＳ１３０から機種情報が取得できなかった場合、または、何らかの理由でサーバ装置７０からアンテナ位置案内画像が取得できなかった場合には、アンテナ位置案内画像取得部１２４から呼び出されるアンテナ位置案内画像登録部１２８がアンテナ位置案内画像登録処理を実行する（Ｓ６）。
【００４７】
ここで、アンテナ位置案内画像登録部１２８が実行するアンテナ位置案内画像登録処理を図９に示すフローチャートに基づいて説明する。
【００４８】
まず、ステップ２０１では、図１０（ａ）に示すアンテナ位置案内画像登録画面を表示する。図１０（ａ）に示すように、アンテナ位置案内画像登録画面には、「アンテナ位置案内画像を登録することができます」というメッセージとともに、「今すぐ登録する」というボタンと「登録しない」というボタンが表示される。これを受けて、ユーザが「登録しない」というボタンをタッチした場合は、ユーザによるアンテナ位置の指定がないと判断し（ステップ２０２、Ｎｏ）、そのまま処理を終了する。この場合、アンテナ位置案内画像は記憶領域１２７に保存されない。
【００４９】
一方、ユーザが「今すぐ登録する」というボタンをタッチした場合には、アンテナ位置選択画面を表示して、ユーザの画面タッチを待機する。図１０（ｂ）に示すように、アンテナ位置選択画面には「アンテナの位置をタッチしてください」というメッセージとともに、所定の分割数（縦横）に基づいて表示画面を分割してなる分割領域が表示される。なお、図１０（ｂ）は、縦分割数「４」、横分割数「５」で分割されてなる２０個の分割領域が表示された例を示している。
【００５０】
その後、ユーザがタブレットＰＣ１０の仕様書を参考にするなどして知得したアンテナ位置に対応する分割領域をタッチして指定すると、アンテナ位置確認画面を表示する。図１０（ｃ）に示すように、アンテナ位置確認画面には、ユーザがタッチした分割領域が強調表示されるとともに、「この位置を登録しますか？」というメッセージが表示される。
【００５１】
これを受けて、ユーザがアンテナ位置確認画面に表示された「ＯＫ」ボタンをタッチすると、ユーザによるアンテナ位置の指定があったと判断し（ステップ２０２、Ｙｅｓ）、処理はステップ２０３に進む。ステップ２０３では、アンテナ位置案内画像として、ユーザが指定した分割領域を強調表示する画像を生成する。図１０（ｄ）は、ステップ２０３で生成されたアンテナ位置案内画像を示す。最後に、ステップ２０４で、生成したアンテナ位置案内画像を記憶領域１２７に保存して、アンテナ位置案内画像登録処理を終了する。
【００５２】
以上、アンテナ位置案内画像登録処理を含むアンテナ位置案内画像取得処理について説明したので、再び、図４に戻って説明を続ける。
【００５３】
ステップ１０６のアンテナ位置案内画像取得処理を経て、アンテナ位置案内画像が記憶領域１２７に保存された場合（ステップ１０７、Ｙｅｓ）、または、先のステップ１０５の判断において、記憶領域１２７に自装置のアンテナ位置案内画像が保存されている判断した場合は（ステップ１０５、Ｙｅｓ）、処理はステップ１０８に進み、記憶領域１２７に保存されているアンテナ位置案内画像を読み出してディスプレイ３０に表示する。
【００５４】
その後、印刷ジョブ生成部１１０は、ステップ１０９で、ＮＦＣタグから送信される宛先情報を待機する。一方、ステップ１０６のアンテナ位置案内画像取得処理においてアンテナ位置案内画像が取得されなかった場合も（ステップ１０７、Ｎｏ）、同様に、ステップ１０９で、ＮＦＣタグから送信される宛先情報を待機する。
【００５５】
その後、ユーザがタブレットＰＣ１０を印刷装置５０に貼付されているＮＦＣタグ６０にかざすと、ＮＦＣタグ６０のＮＦＣアンテナとタブレットＰＣ１０に搭載されるＮＦＣアンテナ４２が接近することで、両者の間に非接触通信が確立する。これを受けて、印刷ジョブ生成部１１０は、確立した非接触通信を介してＮＦＣタグ６０に格納されている印刷装置５０のＩＰアドレスを読み取る。その結果、ＮＦＣタグ６０から印刷装置５０のＩＰアドレスが取得できた場合は（ステップ１０９、Ｙｅｓ）、処理はステップ１１０に進む。ステップ１１０では、印刷ジョブ生成部１１０がＮＦＣタグ６０から取得したＩＰアドレスに宛てて印刷ジョブを送信し、処理を終了する。
【００５６】
以上、説明したように、本実施形態によれば、ユーザは、ディスプレイ３０に表示されるアンテナ位置案内画像に基づいてタブレットＰＣ１０のＮＦＣアンテナ４２の位置を認識し、これをすばやくＮＦＣタグ６０に近接させることができるので、非接触通信の接続が容易になる。
【００５７】
なお、上述した実施形態では、アンテナ位置案内部１２０を印刷アプリのモジュールとして使用する例を示したが、アンテナ位置案内部１２０は、任意のアプリケーションに組み込むことができ、例えば、プロジェクターにデータを送信するアプリケーションなどに組み込むことができる。また、上述した実施形態では、アンテナ位置案内部１２０をメインプログラムから呼び出されるモジュールとして使用する例を示したが、アンテナ位置案内部１２０それ自体を独立したアプリケーション・プログラム（例えば、ユーザがＮＦＣのアンテナ位置を確認するためのアプリケーション）として構成してもよい。
【００５８】
なお、上述した実施形態の各機能は、Ｃ、Ｃ＋＋、Ｃ＃、Ｊａｖａ（登録商標）などで記述された装置実行可能なプログラムにより実現でき、本実施形態のプログラムは、ハードディスク装置、ＣＤ−ＲＯＭ、ＭＯ、ＤＶＤ、フレキシブルディスク、ＥＥＰＲＯＭ、ＥＰＲＯＭなどの装置可読な記録媒体に格納して頒布することができ、また他装置が可能な形式でネットワークを介して伝送することができる。
【００５９】
以上、本発明について実施形態をもって説明してきたが、本発明は上述した実施形態に限定されるものではなく、当業者が推考しうる実施態様の範囲内において、本発明の作用・効果を奏する限り、本発明の範囲に含まれるものである。
【符号の説明】
【００６０】
１０…情報処理装置（スマートフォン）
１２…筐体
２０…コンピュータ
２２…プロセッサ
２４…ＲＯＭ
２５…ＲＡＭ
２６…入出力インターフェース
２７…無線ネットワークインターフェース
２８…補助記憶装置
３０…ディスプレイ
４０…ＮＦＣリーダ／ライタ
４２…ＮＦＣアンテナ
５０…印刷装置
６０…ＮＦＣタグ
７０…サーバ装置
７２…アンテナ位置案内画像管理部
７４…アンテナ位置案内画像提供部
８２…プロセッサ
８４…ＲＯＭ
８５…ＲＡＭ
８６…入出力インターフェース
８７…ネットワーク・インターフェース
８８…ハードディスク（ＨＤＤ）
９０…ネットワーク
１００…印刷アプリ
１１０…印刷ジョブ生成部
１２０…アンテナ位置案内部
１２２…機種情報取得部
１２４…アンテナ位置案内画像取得部
１２５…アンテナ位置案内画像表示部
１２７…記憶領域
１２８…アンテナ位置案内画像登録部
１３０…オペレーティング・システム（ＯＳ）
２００…アンテナ位置案内画像管理テーブル
２０１，２０２…フィールド
１０００…ネットワークシステム
【先行技術文献】
【特許文献】
【００６１】
【特許文献１】特開２０１５−１８４９１７号公報
【図１】
2017118246.tif 000003
【図２】
2017118246.tif 000004
【図３】
2017118246.tif 000005
【図４】
2017118246.tif 000006
【図５】
2017118246.tif 000007
【図６】
2017118246.tif 000008
【図７】
2017118246.tif 000009
【図８】
2017118246.tif 000010
【図９】
2017118246.tif 000011
【図１０】
2017118246.tif 000012